(57)【要約】【課題】容易に製造することができる姿勢矯正アンダーウエアを提供する。【解決手段】低緊締力Ｆ1 を発揮する伸縮自在なアンダーウエア本体１の所定部位に、ラバープリントを積層させて高緊締力Ｆ2 を発揮する伸縮自在な積層模様部２を、形成する。【選択図】図１
2020090754.tif 000002
【特許請求の範囲】
【請求項１】
低緊締力（Ｆ1 ）を発揮する伸縮自在なアンダーウエア本体（１）の所定部位（Ｑ）に、ラバープリント（７）を積層させて高緊締力（Ｆ2 ）を発揮する伸縮自在な積層模様部（２）を、形成したことを特徴とする姿勢矯正アンダーウエア。
【請求項２】
上記アンダーウエア本体（１）の背面（１ｂ）に、上記積層模様部（２）を配設した請求項１記載の姿勢矯正アンダーウエア。
【請求項３】
上記積層模様部（２）は、背面（１ｂ）において、肩部（Ｓ）の高さ位置の肩幅全体にわたって配設された肩締付部（６）を有する請求項２記載の姿勢矯正アンダーウエア。
【請求項４】
上記積層模様部（２）は、背面（１ｂ）において、腰部（Ｗ）の高さ位置の腰幅全体にわたって配設された腰締付部（３）を有する請求項２又は３記載の姿勢矯正アンダーウエア。
【発明の詳細な説明】
【技術分野】
【０００１】
本発明は、姿勢矯正アンダーウエアに関する。
【背景技術】
【０００２】
従来、姿勢を矯正するために、衣類の所定位置に緊締力が強い部分を局部的に設けたものが、知られている（例えば、特許文献１，２参照）。
【先行技術文献】
【特許文献】
【０００３】
【特許文献１】特開２００８−２７９０６５号公報
【特許文献２】特許第６００２１８１号公報
【発明の概要】
【発明が解決しようとする課題】
【０００４】
特許文献１，２記載の従来の姿勢矯正衣類は、張力（緊締力）が強い矯正帯部を弾性糸の織込みにて構成しているので、製造に手間がかかるという問題がある。例えば、図４に点々をもって図示したように、織込み（織込み部20）を作製することは、製造に手間がかかっていた。さらに、矯正帯部を、姿勢矯正に最適であり、かつ、複雑で美しい模様として、織込みで作製することは、至難な場合があった。そこで、本発明は、容易に製造することができると共に、姿勢矯正に最も好ましい方向に最適の緊締力（張力）を、簡単に発生させることを可能とした姿勢矯正アンダーウエアを提供することを目的とする。
【課題を解決するための手段】
【０００５】
そこで、本発明に係る姿勢矯正アンダーウエアは、低緊締力を発揮する伸縮自在なアンダーウエア本体の所定部位に、ラバープリントを積層させて高緊締力を発揮する伸縮自在な積層模様部を、形成したものである。
また、上記アンダーウエア本体の背面に、上記積層模様部を配設したものである。
また、上記積層模様部は、背面において、肩部の高さ位置の肩幅全体にわたって配設された肩締付部を有するものである。
また、上記積層模様部は、背面において、腰部の高さ位置の腰幅全体にわたって配設された腰締付部を有するものである。
【発明の効果】
【０００６】
本発明の姿勢矯正アンダーウエアによれば、着用者の猫背等を防止し、背筋の伸びた正しい姿勢に矯正することができる。また、従来のように張力を発生させる部位を、弾性糸の織込みで作製する必要がなくなって、能率的に容易に製造することができ、ラバープリントの形状と配設位置を、簡単に変更（設定）自在であって、身体の所望部位への緊締力の方向と大きさを所望通りに自由に調整することができる。また、美しい模様とすることも可能である。
【図面の簡単な説明】
【０００７】
【図１】本発明の実施の一形態の使用（着用）状態を示す背面図である。
【図２】未着用状態の背面図である。
【図３】要部断面説明図であって、（Ａ）は未装着状態の要部断面説明図、（Ｂ）は装着状態の要部断面説明図である。
【図４】従来例の背面図である。
【発明を実施するための形態】
【０００８】
以下、図示の実施の形態に基づいて本発明を詳説する。
図１・図２は、本発明の実施の一形態を示し、低緊締力Ｆ1 を発揮する伸縮自在なアンダーウエア本体１の所定部位Ｑに、ラバープリント７を積層させて高緊締力Ｆ2 を発揮する伸縮自在な積層模様部２が、形成される。この姿勢矯正アンダーウエアは、着用者Ｎの姿勢を矯正するためのものであって、特に、背中方向に引張る弾発力（緊締力）Ｆ2 がはたらき、猫背等を矯正する。
【０００９】
アンダーウエア本体１の背面１ｂに、積層模様部２が配設される。積層模様部２は、背面１ｂにおいて、肩部Ｓの高さ位置の肩幅全体にわたって配設された肩締付部６と、腰部Ｗの高さ位置の腰幅全体にわたって配設された腰締付部３を、有する。
【００１０】
所定パターン形状は、伸びを抑制する左右方向縞模様４を有する。積層模様部２は、非プリント帯部５を有する。非プリント帯部５によって、通気性が良くなるとともに、着用者Ｎの身体への凹凸に対応して変形し易くなり、着心地が良くなる。
【００１１】
図２と図３（Ａ）の未装着状態に於ける肩部Ｓ、及び、腰部Ｗの各横断面に於て、積層模様部２の周方向長さ寸法Ｌ2 のアンダーウエア本体１の周囲方向の長さ寸法Ｌ1 に対する割合―――つまり、（Ｌ2 ／Ｌ1 ）× 100―――を、35％以上60％以下に設定する。上記割合が、35％未満の場合、締付力（緊締力）Ｆ2 が小さ過ぎて、適切な姿勢矯正力を得ることができない。上記割合が、60％を超える場合、締付力（緊締力）Ｆ2 が大きくなり過ぎて、着心地が悪くなり、また、着替えにくくなる。
【００１２】
アンダーウエア本体１、及び、積層模様部２のそれぞれに於て、同一の伸び率（例えば、基準となる伸び率20％）に対して生ずる荷重を、各々Ｆ01，Ｆ02とすると、 1.5≦Ｆ02／Ｆ01≦2.5 に設定する。Ｆ02／Ｆ01＜1.5 の場合、適切な姿勢矯正力を得ることができない。 2.5＜Ｆ02／Ｆ01の場合、着心地が悪くなり、また、着替えにくくなる。
【００１３】
本発明の姿勢矯正アンダーウエアのアンダーウエア本体１及び積層模様部２には、例えば、それぞれ表１、表２に示すような素材を用いる。具体的には、表１は、本発明の姿勢矯正アンダーウエアのアンダーウエア本体１に用いる素材の一例について、JISL1096により試験を行った測定結果を示す。表２は、表１の素材にラバープリント７を積層させた素材（積層模様部２に相当する）の一例について、JISL1096により試験を行った測定結果を示す。なお、試料幅50mm、つかみ 100mm、引張速度 100mm／分にて試験を行った。
【００１４】
【表１】
2020090754.tif 000003
【００１５】
【表２】
2020090754.tif 000004
【００１６】
次に、作用について説明する。姿勢矯正アンダーウエアを着用する際、図３（Ａ）から図３（Ｂ）に示すように、アンダーウエア本体１の露出部（非模様部）８、及び、積層模様部２が弾性的に伸長し、露出部８に緊締力Ｆ1 が発生するとともに、積層模様部２に緊締力Ｆ2 が発生する。この時、背中方向へ大きな締付力Ｆ2 がはたらき、露出部８が（周方向に引張られて）積層模様部２よりも優先的に延伸して、着用者Ｎの（図１参照）姿勢（猫背等）を矯正する。
【００１７】
なお、本発明は、設計変更可能であって、例えば、積層模様部２の一部が、前面１ａ側へ延設されているも良い。また、積層模様部２が、肩部Ｓのみ、又は、腰部Ｗのみに設けられるも良い。
【００１８】
以上のように、本発明は、低緊締力Ｆ1 を発揮する伸縮自在なアンダーウエア本体１の所定部位Ｑに、ラバープリント７を積層させて高緊締力Ｆ2 を発揮する伸縮自在な積層模様部２を、形成したので、着圧を（身体の）部位で変化させることができ、背筋の伸びた正しい姿勢に矯正することができる。また、このような姿勢矯正アンダーウエアは、ラバープリント７を施すことにより、能率良く、容易に製造することができる。また、積層模様部２の形状・配設位置・配置方向を変更することにより、着用者Ｎの身体の各部位に対する着圧（緊締力Ｆ2 ）を変化させ、これにより力の方向等を微妙に設定することが可能となる。
【００１９】
また、上記アンダーウエア本体１の背面１ｂに、上記積層模様部２を配設したので、身体の前面が開かれる方向に緊締力Ｆ2 （例えば、肩甲骨を引き寄せる緊締力Ｆ2 ）がはたらき、着用者Ｎの背筋を伸ばして、正しい姿勢を維持することができる。
【００２０】
また、上記積層模様部２は、背面１ｂにおいて、肩部Ｓの高さ位置の肩幅全体にわたって配設された肩締付部６を有するので、肩甲骨を引き寄せて猫背等を矯正することができる。
【００２１】
また、上記積層模様部２は、背面１ｂにおいて、腰部Ｗの高さ位置の腰幅全体にわたって配設された腰締付部３を有するので、腰部Ｗに大きな締付力（緊締力）Ｆ2 がはたらき、アンダーウエアのずれを防止して、確実に姿勢を矯正することができる。
【符号の説明】
【００２２】
１  アンダーウエア本体
１ｂ  背面
２  （高緊締力発揮用）積層模様部
３  腰締付部
７  ラバープリント
Ｆ1   低緊締力
Ｆ2   高緊締力
Ｑ  所定部位
Ｗ  腰部
【図１】
2020090754.tif 000005
【図２】
2020090754.tif 000006
【図３】
2020090754.tif 000007
【図４】
2020090754.tif 000008